【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
非一時的なコンピュータ可読媒体上に格納され、
ユーザがアートワークの要素を定義することを可能にする複数のオーサリングツールを提供するグラフィカルユーザインターフェースを提示する動作と、
識別子を第１の前記アートワークの要素に割り当てる動作と、
ユーザに選択されたネットワークベースの応答を前記ユーザが定義することを可能にするグラフィカルユーザインターフェースを提示する動作であって、前記応答は前記第１のアートワークの要素とやり取りする使用者に提示できるように作成される、動作と、
前記ユーザに選択されたネットワークベースの応答に関する情報を前記識別子と関連付けて格納する動作と、
を実施するように、コンテンツをオーサリングするためのプログラム可能処理システムを構成するように動作可能なプログラム命令であって、
前記構成されたシステムが、アートワークを生成すること、更に前記アートワークとやり取りする使用者に提示するためのネットワークベースの経験を定義することの両方に使用されるために適合されている、プログラム命令。
【請求項２】
前記アートワークは、視覚的アートワークを含む、請求項１に記載のプログラム命令。
【請求項３】
前記ユーザに選択されたネットワークベースの応答は、聴覚的応答を含む、請求項２に記載のプログラム命令。
【請求項４】
前記アートワークは、異なる識別子に割り当てられた二つの異なる要素を含み、それぞれの識別子は異なるネットワークベースの応答に関連付けられる、請求項１に記載のプログラム命令。
【請求項５】
前記複数のオーサリングツールのうちの一つは、パターン構成を有するピクセルを設定し、またはベクタグラフィックを定義するペイントブラシツールを含み、
前記パターン構成は、前記識別子およびステガノグラフィックで符号化された較正パターンの両方を伝達し、
前記較正パターンは、前記アートワークから前記識別子を復号する際に助けとなる、請求項１に記載のプログラム命令。
【請求項６】
前記ユーザに選択されたネットワークベースの応答は、前記アートワークとやり取りする使用者が変わることに応じて変化し、
前記アートワークとやり取りする使用者が第１使用者から第２使用者に変わったことにつれ、前記第１使用者は第１応答を提示され、前記第２使用者は第１応答とは別の第２応答を提示される、請求項１に記載のプログラム命令。
【請求項７】
ユーザがアートワークの要素を定義するために操作されるように構成された第１ツールをグラフィカルユーザインターフェースに提供するステップであって、前記アートワークの少なくとも一つの第１要素はそれに割り当てられた一つの識別子を有する、ステップと、
ユーザに選択されたネットワークベースの応答を前記ユーザが定義するために操作するための第２ツールをグラフィカルユーザインターフェースに提供するステップであって、前記応答は前記第１要素とやり取りする使用者に提示できるように作成される、ステップと、
前記ユーザに選択されたネットワークベースの応答に関する情報を前記識別子と関連付けて格納するステップと、
を備える、アートワークをオーサリングするための方法であって、
前記方法が、アートワークを生成すること、更に前記アートワークとやり取りする使用者に提示するためのネットワークベースの経験を定義することの両方に使用される、方法。
【請求項８】
前記アートワークは、視覚的アートワークを含む、請求項７に記載の方法。
【請求項９】
前記ユーザに選択されたネットワークベースの応答は、聴覚的応答を含む、請求項８に記載の方法。
【請求項１０】
前記アートワークは、異なる識別子が割り当てられた二つの異なる要素を含み、前記識別子は異なる二つのネットワークベースの応答に関連付けられる、請求項７に記載の方法。
【請求項１１】
複数のオーサリングツールのうちの一つは、パターン構成を有するピクセルを設定し、またはベクタグラフィックを定義するペイントブラシツールを含み、
前記パターン構成は、前記識別子およびステガノグラフィックで符号化された較正パターンの両方を伝達し、
前記較正パターンは、前記アートワークから前記識別子を復号する際に助けとなる、請求項７に記載の方法。
【請求項１２】
前記ユーザに選択されたネットワークベースの応答は、前記アートワークとやり取りする使用者が変わることに応じて変化し、
前記アートワークとやり取りする使用者が第１使用者から第２使用者に変わったことにつれ、前記第１使用者は第１応答を提示され、前記第２使用者は第１応答とは別の第２応答を提示される、請求項７に記載の方法。
【請求項１３】
前記ユーザに選択されたネットワークベースの応答は、前記第１要素と前記応答に関する格納情報との間の関連付けにより定義され、
前記関連付けは、経時的に変化し、
第１時刻に前記アートワークとやり取りする使用者は、前記第１要素と第１格納情報との間の関連付けに基づき、第１ネットワークベースの応答を提示され、
第１時刻より後の第２時刻に前記アートワークとやり取りする使用者は、前記第１要素と第２格納情報との間の関連付けに基づき、第１ネットワークベースの応答とは別の第２ネットワークベースの応答を提示される、請求項７に記載の方法。
【請求項１４】
請求項１３に記載の方法により作成され、有形ディスプレイ又は媒体上に提示される、イメージ。
【請求項１５】
前記第１ツールおよび前記第２ツールは、両方とも同じ前記グラフィカルユーザインターフェースに提供される、請求項７に記載の方法。
【請求項１６】
ユーザの第１アートストロークに対応するデータを受信し、第１デジタル信号を含む第１ストローク領域をアートワーク内で確立するステップと、
ユーザの第２アートストロークに対応するデータを受信し、第２デジタル信号を含む第２ストローク領域を前記アートワーク内で確立するステップと、
データリポジトリに情報を格納するステップであって、前記格納情報が、第１ネットワーク機能を前記アートワークの前記第１ストローク領域に関連付け、第２ネットワーク機能を前記アートワークの前記第２ストローク領域に関連付ける、ステップと、
を含む、方法。
【請求項１７】
ユーザインターフェースを通じて、要素の構成を定義するユーザ命令を受信して、アートワークを形成するステップであって、前記アートワークが顔の表現を含む、ステップと、
ハードウェアプロセッサの使用を通じて、顔の前記表現を修正し、複数のシンボルを表すデジタル信号を伝達するステップと、
を含む、方法。
【請求項１８】
有形ディスプレイ又は媒体上に提示されるイメージであって、
前記イメージが、前記イメージとやり取りする使用者に提示するためのネットワークベースの応答を定義する格納情報に関連付けられるデジタル信号を含み、
前記関連付けが経時的に変化し、
第１時刻に前記イメージを見る使用者は、前記デジタル信号と第１格納情報との間の関連付けに基づき、第１ネットワークベースの応答を提示され、
後の時刻に前記イメージを見る使用者は、前記デジタル信号と第２格納情報との間の関連付けに基づき、第１ネットワークベースの応答とは別の第２ネットワークベースの応答を提示される、イメージ。
【請求項１９】
前記第１ネットワークベースの応答および前記第２ネットワークベースの応答のうち少なくとも一つは、聴覚的応答を含む、請求項１８に記載のイメージ。
【請求項２０】
有形ディスプレイ又は媒体上に提示されるイメージであって、
前記イメージが、前記イメージとやり取りする使用者に提示するためのネットワークベースの応答に関連付けられるデジタル信号を含み、
前記応答は、異なる閲覧者に応じて変化し、
前記閲覧者が第１閲覧者から第２閲覧者に変わったことにつれ、前記第１閲覧者は第１ネットワークベースの応答を提示され、前記第２閲覧者は第１ネットワークベースの応答とは別の第２ネットワークベースの応答を提示される、イメージ。
【請求項２１】
有形ディスプレイ又は媒体上に提示されるイメージであって、
前記イメージは、第１聴覚的情報と関連付けられた第１デジタル信号を含む第１領域を含み、
前記イメージは、第１聴覚的情報とは異なる第２聴覚的情報と関連付けられた第２デジタル信号を含む第２領域を含み、
閲覧者は、前記閲覧者がやり取りしている前記イメージの領域に応じて、前記第１聴覚的情報または第２聴覚的情報を提示される、イメージ。